(57)【要約】【課題】電子回路基板の空き端子を有効活用しつつ空き端子の発生を防止できる遊技機を提供する。【解決手段】Ｍ個（Ｍは３以上の整数）の端子を有する第１のコネクタ４６と、この第１のコネクタ４６の２個以上、Ｍ個未満の端子に接続され、かつ所定の信号が通る第１の配線パターンＬ３とを備える第１の電子回路基板３２と、Ｎ個（Ｎは３以上の整数）の端子を有する第２のコネクタ５１と、この第２のコネクタ５１の２個以上、Ｎ個未満の端子に接続され、かつ前記信号が通る第２の配線パターンＭ５とを備える第２の電子回路基板５０と、第１のコネクタ４６の第１の配線パターンＬ３が接続される２個以上の端子のそれぞれに一端が接続されるとともに、第２のコネクタ５１の第２の配線パターンＭ５が接続される２個以上の端子のそれぞれに他端が接続される２本以上の配線Ｈ１５，Ｈ１６と、を備えるので、空き端子を有効活用しつつ空き端子の発生を防止できる。【選択図】図４
2019111252.tif 000002
【特許請求の範囲】
【請求項１】
Ｍ個（Ｍは３以上の整数）の端子を有する第１のコネクタと、この第１のコネクタの２個以上、Ｍ個未満の端子に接続され、かつ所定の信号が通る第１の配線パターンとを備える第１の電子回路基板と、
Ｎ個（Ｎは３以上の整数）の端子を有する第２のコネクタと、この第２のコネクタの２個以上、Ｎ個未満の端子に接続され、かつ前記信号が通る第２の配線パターンとを備える第２の電子回路基板と、
前記第１のコネクタの前記第１の配線パターンが接続される２個以上の端子のそれぞれに一端が接続されるとともに、前記第２のコネクタの前記第２の配線パターンが接続される２個以上の端子のそれぞれに他端が接続される２本以上の配線と、を備え、
前記第１の電子回路基板または前記第２の電子回路基板の一方の電子回路基板上で分岐した前記信号が、前記２本以上の配線それぞれを通り、他方の電子回路基板上で合流するように構成されていることを特徴とする遊技機。
【請求項２】
前記第１の配線パターンは、前記第１のコネクタに接続され、かつ信号が通る複数の配線パターンのうちの、所定期間内に流れる電流が多い配線パターンであることを特徴とする請求項１に記載の遊技機。
【請求項３】
前記第１の配線パターンは、コモン信号が通る配線パターンであることを特徴とする請求項１または２に記載の遊技機。
【発明の詳細な説明】
【技術分野】
【０００１】
本発明は、遊技機に関する。
【背景技術】
【０００２】
スロットマシンやパチンコ遊技機等の遊技機は、複数の電子回路基板を備えており、これらの電子回路基板どうしが、配線により繋がれている。遊技機においては、電子回路基板のコネクタの端子に、配線が繋がれない端子あるいは基板上で浮いてしまう端子である空き端子（不使用の端子）が存在すると、この空き端子を介して信号が不正に入力されたり、読み取られたりしてしまうおそれがあるので、不正防止の観点から空き端子が存在しないように設計が行なわれる。
【０００３】
しかし、遊技機においては、複数の機種間で一部に同じ電子回路基板を用いることもあるため、例えば汎用の電子回路基板に対して新たな電子回路基板を繋ぐ場合に、両基板の端子の数が合わず、空き端子が生じてしまうことがある。また、コネクタの端子数が多くなる場合、コネクタの着脱が容易となるように、例えば端子が２列に配列されるようなコネクタを使用したいこともあり、このような場合には、必要な端子数が奇数だとすると、端子が余ってしまい空き端子が生じてしまうこともある。
このような空き端子の発生を防止する遊技機として、例えば特許文献１に記載のものが知られている。
【先行技術文献】
【特許文献】
【０００４】
【特許文献１】特開２０１６−０９６９７５号公報
【発明の概要】
【発明が解決しようとする課題】
【０００５】
ところで、従来の遊技機においては、空いている端子に単に配線等を繋ぐことで空き端子を塞ぐといった対応となっており、空き端子を有効に活用することができていないという問題があった。
【０００６】
本発明は、前記事情に鑑みてなされたもので、電子回路基板の空き端子を有効活用しつつ空き端子の発生を防止できる遊技機を提供することを目的とする。
【課題を解決するための手段】
【０００７】
前記目的を達成するために、本発明の遊技機は、Ｍ個（Ｍは３以上の整数）の端子を有する第１のコネクタと、この第１のコネクタの２個以上、Ｍ個未満の端子に接続され、かつ所定の信号が通る第１の配線パターンとを備える第１の電子回路基板と、
Ｎ個（Ｎは３以上の整数）の端子を有する第２のコネクタと、この第２のコネクタの２個以上、Ｎ個未満の端子に接続され、かつ前記信号が通る第２の配線パターンとを備える第２の電子回路基板と、
前記第１のコネクタの前記第１の配線パターンが接続される２個以上の端子のそれぞれに一端が接続されるとともに、前記第２のコネクタの前記第２の配線パターンが接続される２個以上の端子のそれぞれに他端が接続される２本以上の配線と、を備え、
前記第１の電子回路基板または前記第２の電子回路基板の一方の電子回路基板上で分岐した前記信号が、前記２本以上の配線それぞれを通り、他方の電子回路基板上で合流するように構成されていることを特徴とする。
【０００８】
このような構成によれば、複数（２本以上）の配線はそれぞれ、一端が第１の電子回路基板の第１のコネクタに接続され、他端が第２の電子回路基板の第２のコネクタに接続される。また、第１の電子回路基板において、第１のコネクタの、当該複数の配線が接続された複数（２個以上）の端子は、第１の配線パターンに接続される。また、第２の電子回路基板において、第２のコネクタの、当該複数の配線が接続された複数（２個以上）の端子は、第２の配線パターンに接続される。したがって、第１の電子回路基板と第２の電子回路基板との両方において空き端子の発生を防ぐことができる。
【０００９】
また、第１の配線パターンおよび第２の配線パターンを通る信号は、第１の電子回路基板または第２の電子回路基板の一方の電子回路基板上で分岐し、複数の配線それぞれを通り、他方の電子基板上で合流することとなる。よって、同一の信号（電流）が、複数の配線を通ることになるので、当該信号を１本の配線に通す場合に比べて、当該信号が通る経路の抵抗を減らすことができ、配線部分における電力損失や信号の劣化や過度の発熱を防ぐことができる。したがって、空き端子を使って低消費電力化や信号の高品質化や発熱の抑制ができ、空き端子を有効活用しつつ空き端子の発生を防止できる。
【００１０】
また、本発明の前記構成において、前記第１の配線パターンは、前記第１のコネクタに接続され、かつ信号が通る複数の配線パターンのうちの、所定期間内に流れる電流が多い配線パターンであることが好ましい。
【００１１】
一部の配線に多くの電流が流れてしまうと、当該一部の配線における電力損失や信号の劣化が大きくなってしまう。また、各配線に流すことのできる許容電流の関係から、当該配線を太くする必要が生じてしまうことがある。しかし、本構成によれば、流れる電流が多い第１の配線パターンの電流を、複数の配線に分岐させて流すことができる。よって、第１のコネクタと第２のコネクタとを繋ぐ配線のうちの一部の配線に、他の配線に比べて多くの電流が流れてしまい、当該一部の配線において電力の損失が大きくなり過ぎてしまったり、過度に発熱してしまったり、配線を太くする必要が生じてしまうことを防ぐことができる。
【００１２】
また、本発明の前記構成において、前記第１の配線パターンは、コモン信号が通る配線パターンであることが好ましい。
【００１３】
コモン信号は、複数の回路素子に対して共通して送られる信号であるため、コモン信号が通る部分は、一般に他の信号が流れる部分よりも流れる電流が多くなる。本構成によれば、コモン信号を複数の配線に分けて通すことができるので、一部の配線に他の配線に比べて多くの電流が流れてしまい、当該一部の配線において電力の損失が大きくなり過ぎてしまったり、過度に発熱してしまったり、配線を太くする必要が生じてしまうことを防ぐことができる。
【発明の効果】
【００１４】
本発明の遊技機によれば、電子回路基板の空き端子を有効活用しつつ空き端子の発生を防止できる。
【図面の簡単な説明】
【００１５】
【図１】本発明の実施の形態に係る遊技機の一例を示すもので、その斜視図である。
【図２】同、メイン表示左基板、メイン表示右基板、サブ表示基板を示すもので、前側から見た斜視図である。
【図３】同、メイン表示左基板およびメイン表示右基板と、下部基板との接続状態を示す回路図である。
【図４】同、メイン表示右基板を示す回路図である。
【図５】同、メイン表示右基板を示す正面図である。
【図６】同、メイン表示右基板を示す背面図である。
【図７】同、下部基板のメイン表示左基板およびメイン表示右基板に関する部分を示す回路図である。
【発明を実施するための形態】
【００１６】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１７】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１８】
また、筐体１の正面には、筐体１の正面開口部を開閉可能に閉塞する前扉３が設けられている。
前記筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１９】
図１に示すように、前扉３の上部中央には、平板状のパネル４が設けられている。また、パネル４は、その中央部に形成された透明な表示窓５と、表示窓５を囲うように形成され、絵柄が描かれた（印刷された）意匠部６とを備えている。
【００２０】
表示窓５の奥には、前記３個の回転リールが横一列に設けられている。そして、表示窓５を通して回転リールの一部が視認可能となっている。各回転リールの外周面には複数種類の図柄が配列されており、回転リールが停止すると表示窓５を通して１リール当たり３個の図柄が表示される。そして、３個の回転リールが停止したときに表示窓５を通して表示される図柄の組み合わせによって当選役が入賞したか否かが表示される。
【００２１】
意匠部６の背面側には、照明用の光源（ＬＥＤ）が設けられており、この光源からの光によって意匠部６に描かれた絵柄が背後から照らされるようになっている。また、前扉３のパネル４の上部には、報知や演出などを行うための照明装置７が設けられている。また、前扉３の左右両端部には、報知や演出などを行うための照明装置８，８が設けられている。
【００２２】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００２３】
また、前扉３の上下方向中央部には、スロットマシンＸを操作するための操作部１０が設けられている。また、操作部１０には、クレジットされたメダルを払い出すための精算スイッチ１１、１枚のメダルをゲームに投資するときに操作される１ベットスイッチボタン１２、３枚（最大数）のメダルをゲームに投資するときに操作されるＭＡＸベットスイッチボタン１３、ゲームを開始させるためのスタートレバー１４、回転リールの回転を停止させるためのストップスイッチ１５、メダルを投入するためのメダル投入口１６、メダル投入口１６の下方のメダル通路内で発生したメダル詰まりを解消するリジェクトボタン等が設けられている。
【００２４】
また、前扉３の下端部には、スロットマシン内部よりメダルを排出するためのメダル払い出し口と、メダル払い出し口から排出されたメダルを溜めておくためのメダル受け皿１８とが形成されている。また、操作部１０とメダル受け皿１８との間には遊技機の外観を装飾するための下パネル２０が設けられている。また、下パネル２０の背面側には、照明用の光源（ＬＥＤ）が設けられており、この光源からの光によって下パネル２０が背後から照らされるようになっている。
【００２５】
前記パネル４の意匠部６の下辺部の後方には、図２に示す、メイン表示左基板３１と、メイン表示右基板３２と、リフレクタ３３と、サブ表示基板３４とが配置されている。
なお、サブ表示基板３４とは、後述するサブ制御基板によって制御され、演出に係る数字等を表示するものである。
【００２６】
メイン表示左基板３１は、２つのセグメントＬＥＤ３５，３６（７セグメントＬＥＤ）と、３つのＬＥＤ３７，３８，３９と、第３コネクタ４０とを備えている。なお、第３コネクタ４０の本体はメイン表示左基板３１の裏側に配置されているので、図２には、第３コネクタ４０の端子部分のみが表されている。そして、メイン表示左基板３１は、これら２つのセグメントＬＥＤ３５，３６によって、遊技の結果払い出されるメダルの枚数や、エラー内容や、所定の状態（例えば、いわゆるアシストタイム状態）において所定の役を入賞させるための打順等を遊技者に知らせるようになっている。また、メイン表示左基板３１は、３つのＬＥＤ３７〜３９によって、ベットされているメダルの枚数を遊技者に知らせるようになっている。また、メイン表示左基板３１には、第３コネクタ４０に接続されたハーネス６０（図３参照）を介してセグメントＬＥＤ３５，３６およびＬＥＤ３７〜３９を点消灯させるための信号が送られるようになっている。
【００２７】
メイン表示右基板３２は、２つのセグメントＬＥＤ４１，４２（７セグメントＬＥＤ）と、３つのＬＥＤ４３，４４，４５と、第１コネクタ４６とを備えている。なお、第１コネクタ４６の本体はメイン表示右基板３２の裏側に配置されているので、図２には、第１コネクタ４６の端子部分のみが表されている。そして、メイン表示右基板３２は、これら２つのセグメントＬＥＤ４１，４２によって、クレジットされているメダルの枚数を遊技者に知らせるようになっている。また、メイン表示右基板３２は、ＬＥＤ４３〜４５によって、スタートレバー１４が有効な状態となっているか否か（スタートレバー１４の操作により遊技が開始可能な状態となっているか）、メダルの投入が有効な状態となっているか否か、リプレイ役の入賞により再遊技可能な状態となっているか否かを遊技者に知らせるようになっている。また、メイン表示右基板３２には、第１コネクタ４６に接続されたハーネス６０（図３参照）を介してセグメントＬＥＤ４１，４２およびＬＥＤ４３〜４５を点消灯させるための信号が送られるようになっている。
なお、セグメントＬＥＤ３５，３６，４１，４２や、ＬＥＤ３７〜３９，４３〜４５が示す情報は上記のものに限られない。
【００２８】
リフレクタ３３は、メイン表示左基板３１、メイン表示右基板３２およびサブ表示基板３４を前面側から覆うカバー部材として機能している。また、リフレクタ３３は、メイン表示左基板３１またはメイン表示右基板３２の、セグメントＬＥＤ３５，３６，４１，４２や、ＬＥＤ３７〜３９，４３〜４５を露出させる複数の開口４８を備えている。そして、これら開口４８から露出したセグメントＬＥＤ３５，３６，４１，４２や、ＬＥＤ３７〜３９，４３〜４５等からの光が、パネル４の意匠部６を介して遊技者に届くようになっている。また、意匠部６には、これらセグメントＬＥＤ３５，３６，４１，４２や、ＬＥＤ３７〜３９，４３〜４５の点消灯が何を示すものかわかるようにする文字が描かれている。
【００２９】
メイン表示左基板３１およびメイン表示右基板３２は、図３に示すように、ハーネス６０によって下部基板５０と接続されている。下部基板５０は、前扉３の裏側下部に設けられており、図示しないメイン制御基板と接続されている。なお、メイン制御基板と下部基板５０とは、いくつかの基板を介して接続されていてもよい。
ここで、メイン制御基板とは、遊技機の基本動作を司る基板をいい、メイン制御基板では、ベットスイッチボタン１２，１３、スタートレバー１４、ストップスイッチ１５等の入力手段（演出用のボタンを除く）からの入力信号を受けて、遊技を実行するための各種の演算を行い、演算結果に基づいてリールユニットやホッパーユニット等の制御を行う。
一方、メイン制御基板から送られてくる信号を受けて、演出を実行するための各種の演算を行い、演算結果に基づいて液晶ディスプレイ１３およびスピーカ等の演出用の装置の制御を行う基板をサブ制御基板という。
【００３０】
メイン表示左基板３１およびメイン表示右基板３２は、下部基板５０を介して送られるメイン制御基板からの信号によって動き、セグメントＬＥＤ３５，３６，４１，４２や、ＬＥＤ３７〜３９，４３〜４５が点灯あるいは消灯するようになっている。すなわち、下部基板５０は、メイン制御基板とメイン表示左基板３１またはメイン表示右基板３２との接続を中継する中継基板となっている。
【００３１】
次に、図３を参照しながら、メイン表示左基板３１およびメイン表示右基板３２と下部基板５０との接続状態について説明する。なお、図３において、各コネクタ部分に記されている数字は、各コネクタのピン番号を示すものである。
図３に示すように、メイン表示左基板３１の第３コネクタ４０は、１２個の端子（１ピン〜１２ピン）を備えている。また、メイン表示右基板３２の第１コネクタ４６は、１２個の端子（１ピン〜１２ピン）を備えている。また、下部基板５０は、第２コネクタ５１を備えている。そして、第２コネクタ５１は、２４個の端子（１ピン〜２４ピン）を備えている。
【００３２】
メイン表示左基板３１およびメイン表示右基板３２と下部基板５０とは、１本のハーネス６０によって接続されている。また、ハーネス６０は、２４本の配線Ｈ１〜Ｈ２４を備えている。また、ハーネス６０は、３つのコネクタ（ハーネス側第１、第２、第３コネクタ（図示せず））を有している。そして、ハーネス６０は、その一端において、２４本の配線Ｈ１〜Ｈ２４が当該ハーネス側第２コネクタに接続されている。また、ハーネス６０は、その他端において、１２本の配線Ｈ１〜Ｈ１２が当該ハーネス側第３コネクタに接続されているとともに、他の１２本の配線Ｈ１３〜Ｈ２４が当該ハーネス側第１コネクタに接続されている。
そして、当該ハーネス側第１コネクタがメイン表示右基板３２の第１コネクタ４６に接続され、当該ハーネス側第２コネクタが下部基板５０の第２コネクタ５１に接続され、当該ハーネス側第３コネクタがメイン表示左基板３１の第３コネクタ４０に接続されることで、メイン表示左基板３１およびメイン表示右基板３２と下部基板５０とが、２４本の配線Ｈ１〜Ｈ２４（空中配線）によって接続されている。
【００３３】
また、第１コネクタ４６およびハーネス側第１コネクタは、見た目が黒色となっている（端子を除く、合成樹脂により形成された部分が黒色となっている）。また、第３コネクタ４０およびハーネス側第３コネクタは、見た目が白色となっている（端子を除く、合成樹脂により形成された部分が白色となっている）。すなわち、メイン表示右基板３２とメイン表示左基板３１とは、図２に示すように、ほぼ左右対称の類似する形状となっているが、メイン表示右基板３２の第１コネクタ４６と、メイン表示左基板３１の第３コネクタ４０とが異なる色となっていることにより、２股となったハーネス６０の接続先をコネクタの色によって判別することが可能となっている。また、２股となったハーネス６０において、この２股の一方の先端のハーネス側第１コネクタの色が第１コネクタ４６の色に揃えられているとともに、２股の他方の先端のハーネス側第３コネクタの色が第３コネクタ４０の色に揃えられていることにより、ハーネス６０の２股となった部分のそれぞれを、メイン表示右基板３２とメイン表示左基板３１とのどちらに接続すればよいのか一目で判別することが可能となっている。すなわち、２股のハーネス６０を使うことによって、下部基板５０とメイン表示左基板３１とを繋ぐハーネスと、下部基板５０とメイン表示右基板３２とを繋ぐハーネスとをひとまとめにすることで、ハーネスの取り回しが簡便にされているとともに、このように色分けすることでハーネス６０の誤配線が防止されている。
【００３４】
また、ハーネス６０の２４本の配線Ｈ１〜Ｈ２４はそれぞれ、一端が下部基板５０の第２コネクタ５１の１つのピンに接続されているとともに、他端がメイン表示左基板３１の第３コネクタ４０またはメイン表示右基板３２の第１コネクタ４６の１つのピンに接続されている。すなわち、第３コネクタ４０または第１コネクタ４６の各ピンと、第２コネクタ５１の各ピンとは、対応するピンどうしが１対１の関係になるように１本の配線Ｈ１〜Ｈ２４によって接続されている。
【００３５】
また、ハーネス６０の２４本の配線Ｈ１〜Ｈ２４はすべて、信号が通過する信号ラインとなっている。なお、ハーネス６０は、電源やグラウンド用の配線（電源ライン、グラウンドライン）を備えていてもよい。
【００３６】
次に、図４〜図６を参照しながら、メイン表示右基板３２上の回路について説明する。なお、図４〜図６において、各コネクタ部分または各ＬＥＤ部分に記されている数字は、各コネクタまたは各ＬＥＤのピン番号を示すものである。また、図５において、セグメントＬＥＤ４１，４２の端子は、実際にはセグメントＬＥＤ４１，４２の表示部（前面）に隠され見えないが、説明のために表している。また、図５、図６において、配線パターンのＬＥＤ４１〜４５に隠され見えない部分ならびにＬＥＤ４１〜４５および第１コネクタ４６の基板に隠され見えない部分を、破線で表している。
【００３７】
前述のように、メイン表示右基板３２は、セグメントＬＥＤ４１，４２と、ＬＥＤ４３〜４５と、第１コネクタ４６とを備えている。また、セグメントＬＥＤ４１，４２はそれぞれ、１０個の端子（１ピン〜１０ピン）を備えている。また、セグメントＬＥＤ４１，４２はそれぞれ、８個のＬＥＤを備えており、セグメントＬＥＤ４１，４２の１ピン（セグメントｅ端子）、２ピン（セグメントｄ端子）、４ピン（セグメントｃ端子）、５ピン（Ｄ．Ｐ端子）、６ピン（セグメントｂ端子）、７ピン（セグメントａ端子）、９ピン（セグメントｆ端子）、１０ピン（セグメントｇ端子）はそれぞれ、８個のＬＥＤそれぞれのアノードに接続されている。また、当該８個のＬＥＤのカソードは、全てセグメントＬＥＤ４１，４２の３ピン（コモン端子）および８ピン（コモン端子）に接続されている。そして、セグメントＬＥＤ４１，４２は、前記８個のＬＥＤのうちの１ピン、２ピン、４ピン、６ピン、７ピン、９ピン、１０ピンに繋がれた７個のＬＥＤによって、数字やアルファベットを表すようになっている。また、セグメントＬＥＤ４１，４２は、前記８個のＬＥＤのうちの５ピンに繋がれたＬＥＤによってドット（デシマルポイント（Ｄ．Ｐ））を表すようになっている。
【００３８】
第１コネクタ４６は、１２個の端子（１ピン〜１２ピン）を備えている。そして、第１コネクタ４６とセグメントＬＥＤ４１，４２とＬＥＤ４３〜４５とは、配線パターンＬ１〜Ｌ１１によってメイン表示右基板３２上で繋がれている。
具体的には、第１コネクタ４６の１ピンと、セグメントＬＥＤ４１の３ピンおよび８ピンとは、第１配線パターンＬ１によって繋がれている。また、第１コネクタ４６の２ピンと、セグメントＬＥＤ４２の３ピンおよび８ピンとは、第２配線パターンＬ２によって繋がれている。また、第１コネクタ４６の３ピンおよび４ピンと、ＬＥＤ４３，４４，４５のカソード４３ｂ，４４ｂ，４５ｂとは、第３配線パターンＬ３によって繋がれている。また、第１コネクタ４６の５ピンと、セグメントＬＥＤ４１，４２の７ピンとは、第４配線パターンＬ４によって繋がれている。また、第１コネクタ４６の６ピンと、セグメントＬＥＤ４１，４２の６ピンとは、第５配線パターンＬ５によって繋がれている。また、第１コネクタ４６の７ピンと、セグメントＬＥＤ４１，４２の４ピンとは、第６配線パターンＬ６によって繋がれている。また、第１コネクタ４６の８ピンと、セグメントＬＥＤ４１，４２の２ピンと、ＬＥＤ４３のアノード４３ａとは、第７配線パターンＬ７によって繋がれている。また、第１コネクタ４６の９ピンと、セグメントＬＥＤ４１，４２の１ピンと、ＬＥＤ４４のアノード４４ａとは、第８配線パターンＬ８によって繋がれている。また、第１コネクタ４６の１０ピンと、セグメントＬＥＤ４１，４２の９ピンと、ＬＥＤ４５のアノード４５ａとは、第９配線パターンＬ９によって繋がれている。また、第１コネクタ４６の１１ピンと、セグメントＬＥＤ４１，４２の１０ピンとは、第１０配線パターンＬ１０によって繋がれている。また、第１コネクタ４６の１２ピンと、セグメントＬＥＤ４１，４２の５ピンとは、第１１配線パターンＬ１１によって繋がれている。
また、第１配線パターンＬ１から第１１配線パターンＬ１１までの１１本の配線パターンは、信号が通過する信号ラインとなっている。具体的には、第１〜第１１配線パターンＬ１〜Ｌ１１は、ＬＥＤ４１〜４５（セグメントＬＥＤ４１，４２およびＬＥＤ４３〜４５）を点灯あるいは消灯させるための制御信号が通過するラインとなっている。
【００３９】
メイン表示右基板３２は、図５および図６に示すように、両面基板（２層基板）となっており、前面側（おもて面側）および後面側（裏面側）に配線パターンＬ１〜Ｌ１１が形成されている。また、メイン表示右基板３２は、前面側の配線パターンと裏面側の配線パターンとを繋ぐ９つのビアＬ４ａ，Ｌ５ａ，Ｌ６ａ，Ｌ７ａ，Ｌ８ａ，Ｌ９ａ，Ｌ９ｂ，Ｌ１０ａ，Ｌ１１ａ（ビアホール）を有している。
なお、メイン表示右基板３２は、片面基板（１層基板）であってもよく、２層以上の層を有する多層基板であってもよい。
【００４０】
第１〜第３配線パターンＬ１〜Ｌ３は、第４〜第１１配線パターンＬ４〜Ｌ１１よりも、太く（配線幅が広く）なっている。また、第１〜第３配線パターンＬ１〜Ｌ３は、太さ（配線幅）が等しくなっている。また、第４〜第１１配線パターンＬ４〜Ｌ１１は、太さ（配線幅）が等しくなっている。すなわち、メイン表示右基板３２は、２種類の太さの配線パターンを有している。なお、メイン表示右基板３２は、配線パターンの太さが１種類のみでもよく、３種類以上であってもよい。
【００４１】
また、第１〜第３配線パターンＬ１〜Ｌ３は、ビアを経由せずに端子と端子とを接続している。すなわち、例えば、第５配線パターンＬ５はビアＬ５ａを経由して第１コネクタ４６の６ピンと、セグメントＬＥＤ４１およびセグメントＬＥＤ４２の６ピンとを接続している。また、例えば、第８配線パターンＬ８は、ビアＬ８ａを経由して第１コネクタ４６の９ピンと、セグメントＬＥＤ４２の１ピンとを接続している。これに対して、例えば、第３配線パターンＬ３は、ビアを経由せずに第１コネクタ４６の３ピンおよび４ピンと、ＬＥＤ４３、ＬＥＤ４４およびＬＥＤ４５のカソード４３ｂ，４４ｂ，４５ｂとを接続している。また、例えば、第２配線パターンＬ２は、ビアを経由せずに第１コネクタ４６の２ピンとセグメントＬＥＤ４２の３ピンとを接続するとともに、ビアを経由せずにセグメントＬＥＤ４２の３ピンと８ピンとを接続している。
このように、回路素子（電子部品）の端子と端子とを、ビアを経由せずに接続することで、当該端子と端子との間の配線抵抗が増加することを防ぐことができる。
【００４２】
また、第１〜第３配線パターンＬ１〜Ｌ３は、分岐せずに複数の端子に接続されている。すなわち、例えば、第３配線パターンＬ３は、図６においてＬＥＤ４５のカソード４５ｂから下方に延び、分岐することなく第１コネクタ４６の３ピンおよび４ピンに接続されている。さらには、第３配線パターンＬ３は、その一端がＬＥＤ４３のカソード４３ｂに接続され、その他端が第１コネクタ４６の４ピンに接続されているとともに、ＬＥＤ４３のカソード４３ｂ（一端）から第１コネクタ４６の４ピン（他端）に至るまで、分岐することなく一本の線となっている。同様に、第１配線パターンＬ１も、第１コネクタ４６の１ピン（一端）からセグメントＬＥＤ４１の８ピン（他端）に至るまで、分岐することなく一本の線となっており、第２配線パターンＬ２も、第１コネクタ４６の２ピン（一端）からセグメントＬＥＤ４２の８ピンに至るまで一本の線となっている。そして、これら第１配線パターンＬ１、第２配線パターンＬ２または第３配線パターンＬ３に接続される複数の端子は、一本の線となったこれら配線パターンＬ１〜Ｌ３の線上に配置されている。
【００４３】
このように、分岐させずに第１〜第３配線パターンＬ１〜Ｌ３を形成することで、配線パターンを太くすることができる。すなわち、例えば、配線パターンを二本に分岐させ、この二本の配線パターンを並列に配置する場合、これらの間にある程度、間隔を設ける必要があるため、スペースが限られている場合には、これら二本の配線パターンのそれぞれは細くせざるを得ない。しかし、本構成によれば、第１〜第３配線パターンＬ１〜Ｌ３は一本の線となっているので、その一端から他端に至るまで太く配線することができる。
さらに、ＬＥＤ４５のカソード４５ｂから下方に延在している第３配線パターンＬ３は、第１コネクタ４６の３ピンに接続された後、曲がることなく第１コネクタ４６の４ピンまで延びて当該４ピンに接続されている。
【００４４】
なお、第１〜第３配線パターンＬ１〜Ｌ３は分岐していても構わないが、できる限り分岐した先の部分が短くなっていることが好ましい。すなわち、例えば、第３配線パターンは、ＬＥＤ４５から第１コネクタ４６に延びており、第１コネクタ４６の複数の端子（３ピンおよび４ピン）に接続されているが、ＬＥＤ４５よりも、第１コネクタ４６に近い位置で分岐していることが好ましい。また、このように配線パターンが、分岐して回路素子（第１コネクタ４６等）の複数の端子に接続される場合には、当該回路素子の下（回路素子に覆い隠される位置）で配線パターンが分岐していることが好ましい。このような構成にすることで、配線パターンの分岐した先の部分を短くすることができるとともに、分岐してどの端子に接続されているかを隠すことができるので、基板上の配線を解読され不正が行われる可能性を低減することができる。
【００４５】
次に、図７を参照しながら、下部基板５０上の回路について説明する。なお、図７において、各コネクタ部分に記されている数字は、各コネクタのピン番号を示すものである。
図７に示すように、下部基板５０は、第２コネクタ５１と第４コネクタ５２と１６個の抵抗５４とを備えている。また、第４コネクタ５２は、１４個の端子（１ピン〜１４ピン）を備えている。そして、第２コネクタ５１と第４コネクタ５２と１６個の抵抗５４とは、配線パターンによって、下部基板５０上で繋がれている。
【００４６】
具体的には、一端が第２コネクタ５１の１ピンに接続された配線パターンＭ１は、他端が第４コネクタ５２の３ピンに接続されている。また、一端が第２コネクタ５１の２ピンに接続された配線パターンＭ２は、他端が第４コネクタ５２の１ピンに接続されている。また、一端が第２コネクタ５１の３ピンに接続された配線パターンＭ３は、他端が第４コネクタ５２の４ピンに接続されている。また、一端が第２コネクタ５１の４ピンに接続された配線パターンＭ４は、他端が第４コネクタ５２の２ピンに接続されている。また、一端が第２コネクタ５１の５ピン、６ピンおよび８ピンに接続された配線パターンＭ５は、他端が第４コネクタ５２の５ピンに接続されている。
【００４７】
また、第２コネクタ５１の９ピンおよび１０ピンに接続された配線パターンと、第４コネクタ５２の６ピンに接続された配線パターンとが、２個の抵抗５４を介して繋がれている。また、第２コネクタ５１の１１ピンおよび１２ピンに接続された配線パターンと、第４コネクタ５２の７ピンに接続された配線パターンとが、２個の抵抗５４を介して繋がれている。また、第２コネクタ５１の１３ピンおよび１４ピンに接続された配線パターンと、第４コネクタ５２の８ピンに接続された配線パターンとが、２個の抵抗５４を介して繋がれている。また、第２コネクタ５１の１５ピンおよび１６ピンに接続された配線パターンと、第４コネクタ５２の９ピンに接続された配線パターンとが、２個の抵抗５４を介して繋がれている。また、第２コネクタ５１の１７ピンおよび１８ピンに接続された配線パターンと、第４コネクタ５２の１０ピンに接続された配線パターンとが、２個の抵抗５４を介して繋がれている。また、第２コネクタ５１の１９ピンおよび２０ピンに接続された配線パターンと、第４コネクタ５２の１１ピンに接続された配線パターンとが、２個の抵抗５４を介して繋がれている。また、第２コネクタ５１の２１ピンおよび２２ピンに接続された配線パターンと、第４コネクタ５２の１２ピンに接続された配線パターンとが、２個の抵抗５４を介して繋がれている。また、第４コネクタ５２の１２ピンに接続された当該配線パターンは、第２コネクタ５１の７ピンに接続されている。また、第２コネクタ５１の２３ピンおよび２４ピンに接続された配線パターンと、第４コネクタ５２の１３ピンに接続された配線パターンとが、２個の抵抗５４を介して繋がれている。また、第４コネクタ５２の１４ピンは、下部基板５０のグラウンド（ＧＮＤ）に接続されている。
なお、図７に示すのは、下部基板５０の回路の一部であり、下部基板５０は、実際には他にもコネクタや電子回路等の回路素子および配線パターンを備えている。また、抵抗５４は、メイン表示左基板３１のＬＥＤ３５〜３９またはメイン表示右基板３２のＬＥＤ４１〜４５に流れる電流を制限するための制限抵抗となっている。
【００４８】
次に、下部基板５０を介して行われる、メイン制御基板によるメイン表示左基板３１またはメイン表示右基板３２の制御について説明する。
図３、図４、図７には、各コネクタ近くに、各ピンを通る信号の名が記されている。ここで、信号名に「セグメント」を含む信号（以下では、セグメント信号という）は、メイン表示左基板３１のＬＥＤ３５〜３９またはメイン表示右基板３２のＬＥＤ４１〜４５のアノードに対して送られる制御信号であり、信号名に「コモン」を含む信号（以下では、コモン信号という）は、メイン表示左基板３１のＬＥＤ３５〜３９またはメイン表示右基板３２のＬＥＤ４１〜４５のカソードに対して送られる制御信号である。メイン制御基板は、セグメント信号またはコモン信号として、０（Ｌｏｗ）または１（Ｈｉｇｈ）のデジタル信号を送り、ＬＥＤ３５〜３９およびＬＥＤ４１〜４５を点灯または消灯する。そして、アノード側がＨｉｇｈとなり、カソード側がＬｏｗとなったＬＥＤが点灯するようになっている。
【００４９】
換言すると、セグメント信号が通過するピンおよび配線は、メイン表示左基板３１のＬＥＤ３５〜３９またはメイン表示右基板３２のＬＥＤ４１〜４５に向けて電流が流れるようになっており、コモン信号が通過するピンおよび配線は、メイン表示左基板３１のＬＥＤ３５〜３９またはメイン表示右基板３２のＬＥＤ４１〜４５から電流が流れるようになっている。
なお、ＬＥＤ３５〜３９およびＬＥＤ４１〜４５においては、カソード側がアノード側よりも電圧が高くなることがないように（逆バイアスとならないように）、メイン制御基板から制御信号が送られる。また、ＬＥＤ３５〜３９およびＬＥＤ４１〜４５は、ダイナミック点灯方式により制御される。
【００５０】
また、コモン信号とは、複数のＬＥＤのカソードに対して共通して送られる信号となっている。例えば、メイン表示右基板３２において、セグメントＬＥＤ４１の備える８個のＬＥＤのカソードには、第１コネクタ４６の１ピンおよび当該ピンに接続された配線パターンＬ１を介して、ＬＥＤコモン信号Ｂｉｔ０という信号が送られるようになっている。また、メイン表示右基板３２において、セグメントＬＥＤ４２の備える８個のＬＥＤのカソードには、第１コネクタ４６の２ピンおよび当該ピンに接続された配線パターンＬ２を介して、ＬＥＤコモン信号Ｂｉｔ１という信号が送られるようになっている。また、メイン表示右基板３２において、３つのＬＥＤ４３〜４５には、第１コネクタ４６の３ピンおよび４ピンならびに当該ピンに接続された配線パターンＬ３を介して、ＬＥＤコモン信号Ｂｉｔ４という信号が送られるようになっている。
【００５１】
一方、セグメント信号とは、ＬＥＤのアノードに対して送られる信号となっている。例えば、メイン表示右基板３２において、セグメントＬＥＤ４１の備える８個のＬＥＤのうちの１個のＬＥＤのアノードと、セグメントＬＥＤ４２の備える８個のＬＥＤのうちの１個のＬＥＤのアノードとには、第１コネクタ４６の５ピンおよび当該ピンに接続された配線パターンＬ４を介して、ＬＥＤセグメントＡ１信号という信号が送られるようになっている。また、例えば、メイン表示右基板３２において、セグメントＬＥＤ４１の備える８個のＬＥＤのうちの１個のＬＥＤのアノードと、セグメントＬＥＤ４２の備える８個のＬＥＤのうちの１個のＬＥＤのアノードと、ＬＥＤ４３のアノードとには、第１コネクタ４６の８ピンおよび当該ピンに接続された配線パターンＬ７を介して、ＬＥＤセグメントＤ１信号という信号が送られるようになっている。
なお、本実施の形態の遊技機においては、セグメント信号は、複数のＬＥＤに共通して送られるようになっているが、１つのＬＥＤに対して送られるものであってもよい。すなわち、コモン信号とは、複数のＬＥＤ（複数の回路素子）に対して共通して送られる信号であり、セグメント信号とは、いずれかのＬＥＤ（回路素子）に対して送られコモン信号と対となってＬＥＤを点灯あるいは消灯させる信号（回路素子を動作させる信号）である。したがって、一般に、セグメント信号が流れるピンや配線（例えば、第１コネクタ４６の５ピン〜１２ピンおよび第４〜第１１配線パターンＬ４〜Ｌ１１）よりも、コモン信号が流れるピンや配線（例えば、第１コネクタ４６の１ピン〜４ピンおよび第１〜第３配線パターンＬ１〜Ｌ３）のほうが流れる電流が多くなっている。
なお、このように本実施の形態の遊技機においては、複数のＬＥＤのカソード側がコモン（共通）となっているが、アノード側がコモンとなっていてもよい。この場合には、アノード側にコモン信号が送られ、カソード側にセグメント信号が送られることとなる。
【００５２】
以上のように、メイン表示右基板３２においては、図４に示すように、配線パターンＬ３を除く１０本の配線パターンＬ１，Ｌ２，Ｌ４，Ｌ５，Ｌ６，Ｌ７，Ｌ８，Ｌ９，Ｌ１０，Ｌ１１はそれぞれ、第１コネクタ４６の異なるピン１つに接続される。また、配線パターンＬ３は、第１コネクタ４６の３ピンと４ピンとの２つのピンに接続される。また、図３に示すように、メイン表示右基板３２の第１コネクタ４６の３ピンは、下部基板５０の第２コネクタ５１の６ピンと１本の配線Ｈ１５によって接続される。また、メイン表示右基板３２の第１コネクタ４６の４ピンは、下部基板５０の第２コネクタ５１の８ピンと１本の配線Ｈ１６によって接続される。また、図７に示すように、下部基板５０においては、第２コネクタ５１の６ピンと８ピンとは、配線パターンＭ５に接続される。
すなわち、メイン表示右基板３２において、３つのＬＥＤ４３〜４５から流れ出した電流は、１つの配線パターンＬ３を通って、第１コネクタ４６の複数（２つ）のピンに流れ込む。そして、当該電流は、複数（２本）の配線Ｈ１５，Ｈ１６を通って、下部基板５０の第２コネクタ５１の複数（２つ）のピンに流れ込む。そして、当該電流は、第２コネクタ５１の複数（２つ）のピンから１つの配線パターンＭ５に流れ出す。換言すると、配線パターンＬ３を通る電流が、メイン表示右基板３２上で分岐して複数の配線Ｈ１５，Ｈ１６を流れ、下部基板５０上で合流するようになっている。さらに換言すると、下部基板５０上で分岐した信号（ＬＥＤコモン信号Ｂｉｔ４）が、複数の配線Ｈ１５，Ｈ１６を通り、メイン表示右基板３２上で合流するようになっている。
【００５３】
このような構成によれば、メイン表示右基板３２（第１の電子回路基板）と下部基板５０（第２の電子回路基板）との両方において、空き端子を無くすことができるとともに、メイン表示右基板３２と下部基板５０との接続を低抵抗で行うことができる。すなわち、メイン表示右基板３２と下部基板５０との信号のやり取りのみを考えると、例えば、配線パターンＬ３（第１の配線パターン）が第１コネクタ４６（第１のコネクタ）の３ピンにしか接続されていなかったり、第１コネクタ４６の４ピンと第２コネクタ５１（第２ののコネクタ）の８ピンとが接続されていなかったり（配線Ｈ１６が存在しなかったり）、配線パターンＭ５（第２の配線パターン）が第２コネクタ５１の８ピンと繋がっていなかったりしても問題はない。しかし、この場合第１コネクタ４６の４ピンや第２コネクタ５１の８ピンは空き端子となってしまう。ところが、本実施の形態の構成によれば、空き端子が発生することを防ぐことができる。また、同一の信号（電流）が、複数の配線Ｈ１５，Ｈ１６を通ることになるので、当該信号を１本の配線（例えば、配線Ｈ１５のみ）に通す場合に比べて、当該信号が通る経路の抵抗を減らすことができ、空中配線部分における電力損失や信号の劣化や過度の発熱を防ぐことができる。よって、互いに接続される２つの電子回路基板の双方において空き端子の発生を防ぐことができるとともに、これらの電子回路基板を繋ぐ配線部分における消費電力の低減や信号の高品質化や発熱の抑制ができる。したがって、空き端子を有効活用しつつ空き端子の発生を防止できる。
【００５４】
また、メイン表示右基板３２の信号が通る第１〜第１１配線パターンＬ１〜Ｌ１１のうちの、所定期間内に流れる電流が多い配線パターンが、第１コネクタ４６の複数の端子に接続されていることが好ましい。また、メイン表示右基板３２の信号が通る第１〜第１１配線パターンＬ１〜Ｌ１１のうちの、所定期間内に流れる電流が最も多い配線パターンが、第１コネクタ４６の複数の端子に接続されていることがさらに好ましい。また、下部基板５０の第２コネクタ５１に接続され、かつ信号が通る配線パターンのうちの、所定期間内に流れる電流が多い配線パターンが、第２コネクタ５１の複数の端子に接続されていることが好ましい。また、下部基板５０の第２コネクタ５１に接続され、かつ信号が通る配線パターンのうちの、所定期間内に流れる電流が最も多い配線パターンが、第２コネクタ５１の複数の端子に接続されていることがさらに好ましい。
ここで、流れる電流が多い配線パターンとは、例えば、コネクタに接続される配線パターンを、流れる電流が多い方から順に順位づけした場合に、真ん中の順位となる配線パターンよりも多くの電流が流れる配線パターンをいう。また、流れる電流が多い配線パターンとは、例えば、コネクタに接続される全配線パターン（信号が通る配線パターン）の平均電流よりも多くの電流が流れる配線パターンとしてもよい。また、所定期間内とは、例えば、１回の遊技が開始（スタートレバー１４が操作）されてから、次の遊技が開始されるまでであってもよく、複数の遊技からなる所定の遊技区間の開始から終了まででもよく、ホールにおける１日の稼働時間等であってもよい。また、所定期間内に流れる電流が多いとは、所定期間内に流れる電流を平均した値が大きいことをいう。
【００５５】
なお、本実施の形態の遊技機においては、第１コネクタ４６の各ピンに流れる電流の最大値は以下のようになっている。すなわち、第１コネクタ４６の１ピンには最大約１２０ｍＡの電流が流れ、第１コネクタ４６の２ピンには最大約１２０ｍＡの電流が流れ、第１コネクタ４６の３ピンには最大約２５ｍＡの電流が流れ、第１コネクタ４６の４ピンには最大約２５ｍＡの電流が流れ、第１コネクタ４６の５ピンには最大約３０ｍＡの電流が流れ、第１コネクタ４６の６ピンには最大約３０ｍＡの電流が流れ、第１コネクタ４６の７ピンには最大約３０ｍＡの電流が流れ、第１コネクタ４６の８ピンには最大約４５ｍＡの電流が流れ、第１コネクタ４６の９ピンには最大約４５ｍＡの電流が流れ、第１コネクタ４６の１０ピンには最大約４５ｍＡの電流が流れ、第１コネクタ４６の１１ピンには最大約３０ｍＡの電流が流れ、第１コネクタ４６の１２ピンには最大約３０ｍＡの電流が流れるようになっている。また、各ピンに流れる電流の平均値も、上記の最大値に応じた大小関係となっている。
【００５６】
このような構成によれば、流れる電流が多い配線パターン（例えば、配線パターンＬ３，Ｍ５）の電流を、複数の配線に分岐させて流すことができる。よって、第１コネクタ４６と第２コネクタ５１とを繋ぐ配線のうちの一部の配線に、他の配線に比べて多くの電流が流れてしまうことを防ぐことができる。したがって、当該一部の配線において電力の損失が大きくなり過ぎてしまったり、過度に発熱してしまったり、配線を太くする必要が生じてしまうことを防ぐことができる。
【００５７】
また、本実施の形態の遊技機においては、セグメントＬＥＤ４１またはセグメントＬＥＤ４２を制御するための信号を利用してＬＥＤ４３〜４５を光らせるようになっている。すなわち、例えば、ＬＥＤ４３は、セグメントＬＥＤ４１またはセグメントＬＥＤ４２の備える８個のＬＥＤのうちの１個を制御するためのＬＥＤセグメントＤ１信号を利用して光らせるようになっている。また、例えば、ＬＥＤ４４は、セグメントＬＥＤ４１またはセグメントＬＥＤ４２の備える８個のＬＥＤのうちの１個を制御するためのＬＥＤセグメントＥ１信号を利用して光らせるようになっている。また、例えば、ＬＥＤ４５は、セグメントＬＥＤ４１またはセグメントＬＥＤ４２の備える８個のＬＥＤのうちの１個を制御するためのＬＥＤセグメントＦ１信号を利用して光らせるようになっている。したがって、ＬＥＤ４１〜４５を光らせるために必要な信号の数や、当該信号を通すための配線数を削減することができる。
【００５８】
なお、メイン表示右基板３２の第１コネクタ４６に接続された配線パターンＬ１〜Ｌ１１と、下部基板５０の第２コネクタ５１に接続された配線パターンと、配線Ｈ１〜Ｈ２４とは、全て信号が通る信号ラインとなっているが、電源が通る電源ラインや、グラウンドライン等を含んでいてもよい。ただし、配線パターンＬ３や配線パターンＭ５のように、信号が通る配線パターンがコネクタの複数の端子に接続されていることが好ましい。このような構成によれば、低消費電力化を図ることができるだけでなく、信号の高品質化を図ることもできる。
【００５９】
なお、本発明は、メイン表示左基板３１や、メイン表示右基板３２や、下部基板５０等の、ＬＥＤに関する電子回路基板だけでなく、他の電子回路基板においても有用である。また、配線パターンＬ３、配線パターンＭ５および配線Ｈ１５，Ｈ１６等に通される信号は、ベットスイッチボタン１２，１３、スタートレバー１４、ストップスイッチ１５等の入力手段からの入力信号や、リールユニットやホッパーユニット等を動かすための信号や、演出に係る信号等であってもよい。
【符号の説明】
【００６０】
Ｈ１５  配線
Ｈ１６  配線
Ｌ３  配線パターン（第１の配線パターン）
Ｍ５  配線パターン（第２の配線パターン）
３２  メイン表示右基板（第１の電子回路基板）
４６  第１コネクタ（第１のコネクタ）
５０  下部基板（第２の電子回路基板）
５１  第２コネクタ（第２のコネクタ）
６０  ハーネス
【図１】
2019111252.tif 000003
【図２】
2019111252.tif 000004
【図３】
2019111252.tif 000005
【図４】
2019111252.tif 000006
【図５】
2019111252.tif 000007
【図６】
2019111252.tif 000008
【図７】
2019111252.tif 000009